(57)【要約】【課題】本発明の課題は、短期間だけ暖房を必要とする地域に適した弱めの暖房とを行うことができる安価な空調機を提供することにある。【解決手段】空調機１では、暖房能力を抑えた空調機であり、暖房運転時に室外熱交換器１７への着霜が抑制されるので、「高い伝熱性能を有し且つ安価ではあるが着霜時に目詰まりして性能低下し易い」という性質のスリットフィンタイプの熱交換器を使いこなすことが可能となる。具体的には、着霜による目詰まりを心配することなく、高さ０．３ｍｍ以上の切り起し部を有するスリットフィンを採用することができ、熱交換性能の向上を図ることができる。【選択図】図６
2016102637.tif 000002
【特許請求の範囲】
【請求項１】
圧縮機（１３）、熱源側熱交換器（１７）、膨張機構（１９）、及び利用側熱交換器（１１）を順に接続して冷媒回路を構成し、前記利用側熱交換器（１１）が凝縮器として機能するときの暖房能力を、前記利用側熱交換器（１１）が蒸発器として機能するときの冷房能力以下にした空調機であって、
前記熱源側熱交換器（１７）は、切り起しによって切り起し部（１７５）とスリット（１７７）とが形成され且つ板厚方向に所定ピッチ（Ｐｘ）で並べられた複数のスリットフィン（１７１）を有している、
空調機（１）。
【請求項２】
前記切り起し部（１７５）は、高さ０．３ｍｍ以上の切り起し部を含む、
請求項１に記載の空調機（１）。
【請求項３】
前記スリットフィン（１７１）の前記所定ピッチ（Ｐｘ）が１．２ｍｍ〜２．０ｍｍの範囲内である、
請求項１又は請求項２に記載の空調機（１）。
【請求項４】
前記圧縮機（１３）の運転周波数を制御する制御部（５０）を備え、
前記制御部（５０）は、前記熱源側熱交換器（１７）が蒸発器として機能しているときの冷媒の蒸発温度が第１閾値を下回ったと判断したとき、又は前記熱源側熱交換器（１７）が蒸発器として機能しているときの冷媒の蒸発器出口温度が第２閾値を下回ったと判断したとき、前記圧縮機（１３）を垂下又は停止させる霜付き抑制制御を行う、
請求項１から請求項３のいずれか１項に記載の空調機（１）。
【請求項５】
前記熱源側熱交換器（１７）が据え付けられている場所の雰囲気温度を検出する外気温度センサ（４８）をさらに備え、
前記制御部（５０）は、前記外気温度センサ（４８）の検出値が第３閾値を下回ったときは、前記圧縮機（１３）を停止する、
請求項４に記載の空調機（１）。
【請求項６】
前記冷房能力と前記暖房能力との比が１：０．５〜０．７である、
請求項５に記載の空調機（１）。
【発明の詳細な説明】
【技術分野】
【０００１】
本発明は、空調機に関し、特に、暖房能力が冷房能力よりも小さい空調機に関する。
【背景技術】
【０００２】
ＡＳＥＡＮ、中南米などで使用されるルームエアコンは、ほとんどが冷房専用である（例えば、特許文献１：特開２００８−９６０８８号公報参照）。しかし、そのような地域でも例えば高地においては、短期間ではあるものの気温が５℃程度まで低下し、何らかの暖房を必要とする時期がある。
【発明の概要】
【発明が解決しようとする課題】
【０００３】
ユーザーは、その期間だけヒータなどの機器を用いて室内暖房をしているが、不便さは否めない。その一方、冷房専用地域において本格的なヒートポンプ機はオーバースペックであり、ユーザーの購入価格上昇を伴い市場流通を阻害する結果となっていた。
【０００４】
本発明の課題は、短期間だけ暖房を必要とする地域に適した弱めの暖房を行うことができる安価な空調機を提供することにある。
【課題を解決するための手段】
【０００５】
本発明の第１観点に係る空調機は、圧縮機、熱源側熱交換器、膨張機構、及び利用側熱交換器を順に接続して冷媒回路を構成し、利用側熱交換器が凝縮器として機能するときの暖房能力を、利用側熱交換器が蒸発器として機能するときの冷房能力以下にした空調機であって、熱源側熱交換器が、切り起しによって切り起し部とスリットとが形成され且つ板厚方向に所定ピッチ（Ｐｘ）で並べられた複数のスリットフィンを有している。
【０００６】
この空調機では、暖房能力を抑えた空調機であり、暖房運転時に熱源側熱交換器への着霜が抑制されるので、「高い伝熱性能を有し且つ安価ではあるが着霜時に目詰まりして性能低下し易い」という性質のスリットフィンタイプの熱交換器を使いこなすことが可能となる。その結果、熱交換器の低コスト化を図ることができる。
【０００７】
本発明の第２観点に係る空調機は、第１観点に係る空調機であって、切り起し部が、高さ０．３ｍｍ以上の切り起し部を含んでいる。
【０００８】
この空調機では、暖房運転時に熱源側熱交換器への着霜が抑制されるので、着霜による目詰まりを心配することなく、高さ０．３ｍｍ以上の切り起し部を有するスリットフィンを採用することができ、熱交換性能の向上を図ることができる。
【０００９】
本発明の第３観点に係る空調機は、第１観点又は第２観点に係る空調機であって、スリットフィンの所定ピッチ（Ｐｘ）が１．２ｍｍ〜２．０ｍｍの範囲内である。
【００１０】
本発明の第４観点に係る空調機は、第１観点から第３観点のいずれか１つに係る空調機であって、圧縮機の運転周波数を制御する制御部を備えている。制御部は、熱源側熱交換器が蒸発器として機能しているときの冷媒の蒸発温度が第１閾値を下回ったと判断したとき、又は熱源側熱交換器が蒸発器として機能しているときの冷媒の蒸発器出口温度が第２閾値を下回ったと判断したとき、圧縮機を垂下又は停止させる霜付き抑制制御を行う。
【００１１】
暖房能力が小さくて済むにもかかわらず除霜運転が実現できる設計となると、結果的に通常暖房能力並みの部品と制御が必要となり、コスト増の要因となる。
【００１２】
しかし、この空調機では、冷媒の蒸発温度又は蒸発器出口温度から霜付きが発生しそうなタイミングを見計らって、圧縮機を垂下又は停止させることによって霜付きを抑制することができる。その結果、熱源側熱交換器として、伝熱性能に優れ比較的安価なスリットフィンタイプの熱交換器を採用することができるので、低コストの空調機を提供することができる。
【００１３】
本発明の第５観点に係る空調機は、第４観点に係る空調機であって、熱源側熱交換器が据え付けられている場所の雰囲気温度を検出する外気温度センサをさらに備えている。制御部は、外気温度センサの検出値が第３閾値を下回ったときは、圧縮機を停止する。
【００１４】
この空調機では、圧縮機の運転に外気温度による制限を課することによって、蒸発器への着霜を抑制することができる。その結果、熱源側熱交換器として、伝熱性能に優れ比較的安価なスリットフィンタイプの熱交換器を採用することができるので、低コストの空調機を提供することができる。
【００１５】
本発明の第６観点に係る空調機は、第５観点に係る空調機であって、冷房能力と暖房能力との比が１：０．５〜０．７である。
【発明の効果】
【００１６】
本発明の第１観点に係る空調機では、暖房能力を抑えた空調機であり、暖房運転時に熱源側熱交換器への着霜が抑制されるので、「高い伝熱性能を有し且つ安価ではあるが着霜時に目詰まりして性能低下し易い」という性質のスリットフィンタイプの熱交換器を使いこなすことが可能となる。その結果、熱交換器の低コスト化を図ることができる。
【００１７】
本発明の第２観点又は第３観点に係る空調機では、暖房運転時に熱源側熱交換器への着霜が抑制されるので、着霜による目詰まりを心配することなく、高さ０．３ｍｍ以上の切り起し部を有するスリットフィンを採用することができ、熱交換性能の向上を図ることができる。
【００１８】
本発明の第４観点に係る空調機では、冷媒の蒸発温度又は蒸発器出口温度から霜付きが発生しそうなタイミングを見計らって、圧縮機を垂下又は停止させることによって霜付きを抑制することができる。その結果、熱源側熱交換器として比較的安価なスリットフィンタイプの熱交換器を採用することができるので、低コストの空調機を提供することができる。
【００１９】
本発明の第５観点又は第６観点に係る空調機では、圧縮機の運転に外気温度による制限を課することによって、蒸発器への着霜を抑制することができる。その結果、熱源側熱交換器として比較的安価なスリットフィンタイプの熱交換器を採用することができるので、低コストの空調機を提供することができる。
【図面の簡単な説明】
【００２０】
【図１】本発明の一実施形態に係る空調機の構成図。
【図２】室内機の斜視図。
【図３】空調機の制御ブロック図。
【図４】霜付き抑制制御のフローチャート。
【図５】室外熱交換器のフィンの平面図。
【図６】図５のＡ−Ａ線におけるフィンの断面図。
【発明を実施するための形態】
【００２１】
以下図面を参照しながら、本発明の実施形態について説明する。なお、以下の実施形態は、本発明の具体例であって、本発明の技術的範囲を限定するものではない。
【００２２】
（１）空調機１の構成
図１は、本発明の一実施形態に係る空調機１の構成図である。図１において、空調機１は、冷房運転および暖房運転が可能な冷凍装置であり、室内機２と、室外機３と、室外機３と室内機２とを接続するための液冷媒連絡配管７、及びガス冷媒連絡配管９とを備えている。空調機１の冷凍回路には、単一冷媒であるＲ３２が封入されている。
【００２３】
（１−１）室内機２
図２は、室内機２の斜視図である。図１及び図２において、室内機２は、室内熱交換器１１と、室内ファン３５とを有している。また、室内機２には、リモートコントロールユニット（以下、リモコン５２という。）が付帯されている。リモコン５２は、ユーザーの操作に応じて、室内機２及び室外機３に内蔵されている制御部と交信して空調機１を制御する。
【００２４】
（１−１−１）室内熱交換器１１
室内熱交換器１１は、伝熱管と多数のフィンとにより構成されたクロスフィン式のフィン・アンド・チューブ型熱交換器である。室内熱交換器１１は、冷房運転時には冷媒の蒸発器として機能して室内空気を冷却し、暖房運転時には冷媒の凝縮器として機能して室内空気を加熱する。
【００２５】
なお、室内熱交換器１１は、クロスフィン式のフィン・アンド・チューブ型熱交換器に限定されるものではなく、他の型式の熱交換器であっても良い。
【００２６】
（１−１−２）室内ファン３５
室内ファン３５は、クロスフローファンである。室内ファン３５は、ファン３５ａと、ファン３５ａを回転させるための室内ファンモータユニット３５ｂとを有している。ファン３５ａは、ＡＳ樹脂などの樹脂材料で、長細い円筒形状に形成されており、長軸が水平になるように配置される。
【００２７】
室内ファン３５の稼動によって、室内機２は前面側から内部に室内空気を吸入し、室内熱交換器１１において冷媒と熱交換させた後に、供給空気として室内に供給する。また、室内ファン３５は、室内熱交換器１１に供給する空気の風量を所定風量範囲において変更することができる。
【００２８】
（１−２）室外機３
図１において、室外機３は、主に、圧縮機１３、四路切換弁１５、室外熱交換器１７、膨張弁１９、及びアキュムレータ２１を有している。さらに、室外機３は室外ファン５５も有している。
【００２９】
（１−２−１）圧縮機１３
圧縮機１３は容量可変式圧縮機であり、インバータにより回転数が制御される。本実施形態において、圧縮機１３は１台のみであるが、これに限定されず、室内機２の接続台数等に応じて、２台以上の圧縮機が並列に接続されていても良い。
【００３０】
（１−２−２）四路切換弁１５
四路切換弁１５は、冷媒の流れの方向を切り換える弁である。冷房運転時、四路切換弁１５は圧縮機１３の吐出側と室外熱交換器１７のガス側とを接続するとともに圧縮機１３の吸入側（具体的には、アキュムレータ２１）とガス冷媒連絡配管９側とを接続する（冷房運転状態：図１の四路切換弁１５の実線を参照）。その結果、室外熱交換器１７は冷媒の凝縮器として、室内熱交換器１１は冷媒の蒸発器として機能する。
【００３１】
暖房運転時、四路切換弁１５は、圧縮機１３の吐出側とガス冷媒連絡配管９側とを接続するとともに圧縮機１３の吸入側と室外熱交換器１７のガス側とを接続する（暖房運転状態：図１の四路切換弁１５の破線を参照）。その結果、室内熱交換器１１は冷媒の凝縮器として、室外熱交換器１７は冷媒の蒸発器として機能する。
【００３２】
（１−２−３）室外熱交換器１７
室外熱交換器１７は、クロスフィン式のフィン・アンド・チューブ型熱交換器である。室外熱交換器１７は、冷房運転時には冷媒の凝縮器として機能し、暖房運転時には冷媒の蒸発器として機能する。室外熱交換器１７は、そのガス側が四路切換弁１５に接続され、その液側が膨張弁１９に接続されている。
【００３３】
（１−２−４）膨張弁１９
膨張弁１９は、冷媒回路内を流れる冷媒の圧力や流量等の調節を行う。膨張弁１９は、冷房運転時の冷媒回路における冷媒の流れ方向において室外熱交換器１７の下流側に配置されている。
【００３４】
（１−２−５）室外ファン５５
室外ファン５５は、吸入した室外空気を室外熱交換器１７に送風して冷媒と熱交換させる。室外ファン５５は、室外熱交換器１７に送風する際の風量を可変することができる。室外ファン５５は、プロペラファン等であり、ＤＣファンモータ等からなるモータによって駆動される。
【００３５】
（１−３）制御部５０
図３は、空調機１の制御ブロック図である。図３において、制御部５０はリモコン５２からの指令信号に基づいて、圧縮機１３の運転周波数、四路切換弁１５の切換動作、膨張弁１９の開度、および風向調整羽根駆動モータ６２の回転を制御する。
【００３６】
図１に示すように、制御部５０は、室内機２内に内蔵されている室内制御部５０ａと室外機３内に内蔵されている室外制御部５０ｂとを有している。室内制御部５０ａとリモコン５２との間では赤外線信号の送受信が行われる。室内制御部５０ａと室外制御部５０ｂとの間では信号の送受信がワイヤを介して行われる。
【００３７】
リモコン５２には、運転スイッチ２２、運転切換スイッチ２４、温度設定スイッチ２６、及び風向調整スイッチ６１が設けられている。
【００３８】
運転スイッチ２２は、操作される毎に空調機１の運転と停止とを交互に切り換える。運転切換スイッチ２４は、操作される毎に運転を自動→冷房→除湿→暖房の順に切り換える。温度設定スイッチ２６は、上押操作される毎に設定温度が上昇し、下押操作される毎に設定温度が降下する。
【００３９】
また。風向調整スイッチ６１が操作される毎に、制御部５０（室内制御部５０ａ）が風向調整羽根駆動モータ６２を制御し、風向調整羽根６３（図２参照）の上下遥動と任意位置固定とを交互に切り換える。
【００４０】
（１−４）各種センサ
空調機１には、サーミスタから成る室外熱交換器温度センサ４２、室内温度センサ４４、出口管温度センサ４６、及び外気温度センサ４８が設けられている。室外熱交換器温度センサ４２は、室外熱交換器１７に取付けられ、室外熱交換器１７の所定領域を流れる冷媒の温度を検知する。室内温度センサ４４は、室内機２の吸込口に取り付けられ、室内空気温度を検知する。出口管温度センサ４６は、暖房運転時に蒸発器として機能する室外熱交換器１７の冷媒出口配管に取り付けられ、冷媒出口配管の温度を検出する。外気温度センサ４８は、室外機３の周囲温度を検知する。そして、これらの温度センサの測定値に基づき、制御部５０が空調機１を運転制御する。
【００４１】
（２）空調機１の動作
空調機１では、四路切換弁１５によって、冷媒の循環サイクルを冷房運転時の循環サイクルおよび暖房運転時の循環サイクルのいずれか一方に切り換えることが可能である。
【００４２】
（２−１）冷房運転
冷房運転では、四路切換弁１５が第１状態（図１の実線）に設定される。そして、この状態で制御部５０が圧縮機１３を稼動させると、室外熱交換器１７が凝縮器となり、室内熱交換器１１が蒸発器となる蒸気圧縮冷凍サイクルが行われる。
【００４３】
圧縮機１３から吐出された高圧の冷媒は、室外熱交換器１７で室外の空気と熱交換して凝縮する。室外熱交換器１７を出た冷媒は、膨張弁１９を通過する際に減圧され、その後に室内熱交換器１１で室内の空気と熱交換して蒸発する。その際、空気は室内熱交換器１１によって冷却され、その冷却された空気が室内ファン３５を介して吹出口から室内へ吹き出される。室内熱交換器１１を出た冷媒は、圧縮機１３へ吸入されて圧縮される。
【００４４】
（２−２）暖房運転
暖房運転では、四路切換弁１５が第２状態（図１の点線）に設定される。そして、この状態で制御部５０が圧縮機１３を稼動させると、室外熱交換器１７が蒸発器となり、室内熱交換器１１が凝縮器となる蒸気圧縮冷凍サイクルが行われる。
【００４５】
圧縮機１３から吐出された高圧の冷媒は、室内熱交換器１１で室内の空気と熱交換して凝縮する。その際、空気は室内熱交換器１１で加温され、その加温された空気は室内ファン３５を介して吹出口から室内へ吹き出される。凝縮した冷媒は、膨張弁１９を通過する際に減圧された後、室外熱交換器１７で室外の空気と熱交換して蒸発する。室外熱交換器１７を出た冷媒は、圧縮機１３へ吸入されて圧縮される。
【００４６】
（３）霜付き抑制制御
通常、暖房運転時には所定運転時間毎に除霜運転が行われるが、本実施形態に係る空調機１では、霜付き抑制制御を実行することによって、除霜運転を回避している。以下、フローチャートを参照しながら、その動作を説明する。
【００４７】
図４は、霜付き抑制制御のフローチャートである。図４において、ステップＳ１で制御部５０は暖房運転指令が有るか否かを判定する。例えば、ユーザーがリモコン５２の運転スイッチ２２をオンしたとき、リモコン５２から運転開始信号が制御部５０に送られ、運転開始信号を受信した制御部５０は暖房運転指令が有ったと判定する。制御部５０は、暖房運転指令が有ると判定したときステップＳ２へ進み、暖房運転指令がないと判定したときは引き続き判定を継続する。
【００４８】
次に制御部５０は、ステップＳ２において外気温度センサ４８を介して外気温度Ｔｏを検出し、ステップＳ３へ進む。
【００４９】
次に制御部５０は、ステップＳ３において外気温度センサ４８の検出値である外気温度Ｔｏが所定外気温度Ｔｏｓ（例えば、５℃）を下回っているか否かを判定する。Ｔｏ＜Ｔｏｓであると判定したときは、ステップＳ１０へ飛び、圧縮機１３を起動せず、霜付き抑制制御を終了する。他方、制御部５０がＴｏ＜Ｔｏｓではないと判定したときは、ステップＳ４へ進む。
【００５０】
次に制御部５０は、ステップＳ４において圧縮機１３を起動して、ステップＳ５へ進む。ステップＳ５において、制御部５０は室外熱交換器温度センサ４２を介して室外熱交換器１７の所定領域の温度を検出する。
【００５１】
次に制御部５０は、ステップＳ６において室外熱交換器温度センサ４２の検出値から冷媒の蒸発温度Ｔｅを推定し、ステップＳ７へ進む。
【００５２】
次に制御部５０は、ステップＳ７において蒸発温度Ｔｅが閾値Ｔｓ１（例えば、４℃）を下回っているか否かを判定し、Ｔｅ＜Ｔｅ１であると判定したときはステップＳ８へ進み、Ｔｅ＜Ｔｅ１ではないと判定したときはステップＳ５へ戻る。
【００５３】
次に制御部５０は、ステップＳ８において圧縮機１３の垂下制御を実行する。室外熱交換器１７の冷媒の蒸発温度Ｔｅが閾値Ｔｓ１を下回ったことによって、圧縮機１３の運転周波数を現状のまま維持すると室外熱交換器１７に着霜するので、それを回避するためには蒸発圧力を高める必要がある。それゆえ、圧縮機１３の垂下制御が行われる。
【００５４】
なお、圧縮機１３の垂下制御中も、室外熱交換器温度センサ４２の検出値から蒸発温度Ｔｅを推定する動作、及び外気温度センサ４８を介して外気温度Ｔｏを検出する動作は継続している。
【００５５】
次に制御部５０は、ステップＳ９において蒸発温度Ｔｅが閾値Ｔｓ２（例えば、２℃）を下回ったか否か、或いは外気温度Ｔｏが所定外気温度Ｔｏｓ（例えば、５℃）を下回ったか否かを判定し、Ｔｅ＜Ｔｓ２又はＴｏ＜Ｔｏｓのいずれかが成立したと判定したときはステップＳ１０へ進んで圧縮機１３を停止する。
【００５６】
他方、制御部５０がＴｅ＜Ｔｓ２及びＴｏ＜Ｔｏｓのいずれも成立していないと判定したときはステップＳ５へ戻る。
【００５７】
以上にように、制御部５０は、外気温度Ｔｏが所定外気温度Ｔｏｓ（例えば、５℃）未満のときは、室外熱交換器１７が直ぐに着霜するので、暖房運転を開始しない。また、制御部５０は、外気温度ＴｏがＴｏｓ以上のときに暖房運転を開始しても、蒸発温度Ｔｅが閾値Ｔｓ１（例えば、４℃）未満になったら圧縮機１３を垂下制御して、室外熱交換器１７への着霜を抑制する。さらに、制御部５０は、上記垂下制御中に蒸発温度Ｔｅが閾値Ｔｓ２（例えば２℃）を下回るか、或いは外気温度Ｔｏが所定外気温度Ｔｏｓを下回ったときは、圧縮機１３を停止して室外熱交換器１７への着霜を防止する。
【００５８】
（４）変形例
（４−１）
上記実施形態では、室外熱交換器温度センサ４２の検出値に基づいて冷媒の蒸発温度Ｔｅを推定しているが、それに限定されるものではない。
【００５９】
例えば、出口管温度センサ４６は、暖房運転時に蒸発器として機能する室外熱交換器１７の冷媒出口配管に取り付けられて冷媒出口配管の温度を検出するので、制御部５０は出口管温度センサ４６の検出値から冷媒の蒸発器出口温度を推定することができ、さらにその推定値から冷媒の蒸発温度Ｔｅを推定することもできる。
【００６０】
（４−２）
制御部５０は、上記霜付き抑制制御の実行にもかかわらず室外熱交換器１７に着霜したと判断した場合、除霜運転を行ってもよい。
【００６１】
この変形例に係る空調機１では、圧縮機１３の吐出ガス温度を利用せず外気のみで室外熱交換器１７の除霜を行う。その結果、ホットガスデフロストを行うタイプの空調機との対比において、部品の小型化、低コスト化を図ることができる。
【００６２】
（５）霜付き抑制制御の導入に伴う室外熱交換器１７の最適化
本実施形態に係る空調機１の特徴は、暖房能力が冷房能力よりも小さく抑えられ、且つ霜付き抑制制御が行われていることであり、その影響は当然、室外熱交換器１７などに及ぶ。以下、本実施形態に係る空調機１に適した室外熱交換器１７について説明する。
【００６３】
一般的に、切り起し部を有するスリットフィンを使用した熱交換器は、高い伝熱性能を有し且つ安価ではあるが、切り起し部のエッジに霜が成長すると空気の通風路を狭くして熱交換性能を低下させるので、低温雰囲気で蒸発器として使用する際に使い勝手が悪い。
【００６４】
しかし、本実施形態に係る空調機１では、暖房運転時に蒸発器として機能する室外熱交換器１７への着霜が抑制されているので、所定のスリットフィンを使用した室外熱交換器１７を採用することにより、低コスト化を図ることができる。ここでは、室外熱交換器１７の構成について説明する。
【００６５】
（５−１）構成
図５は、室外熱交換器１７のフィン１７１の平面図である。図６は、図５のＡ−Ａ線におけるフィン１７１の断面図である。図５及び図６において、フィン１７１には、切り起し加工によって切り起し部１７５とスリット１７７が形成されている。切り起し部１７５は、鉛直方向に隣接する伝熱管１８３の間の中央部に平板領域１７９を残すように形成されている。
【００６６】
室外熱交換器１７が蒸発器として機能するとき、各フィン１７１での熱流速は、鉛直方向に隣接する伝熱管１８３相互間における中央部から伝熱管嵌挿部１７３へ伝達されようとするが、中央部に平板領域１７９を確保した状態で切り起し部１７５が形成されているので、平板領域１７９の空気との熱伝達性能が低減される。また、平板領域１７９から伝熱管嵌挿部１７３への熱流速の流れが切り起し部１７５によって抑制される。
【００６７】
その結果、伝熱管１８３相互管の中央部にも切り起し部が設けられていた従来のスリットフィンに比べて、伝熱管１８３相互管の中央部における風上側での冷却速度が低下し、フィン面での熱伝達の均一化が得られ、フィン効率が向上し、着霜による早期の目詰まり発生をも防止することができる。
【００６８】
また、仮に着霜してもフィン面への均一着霜が得られるので、除霜時間を短縮することができる。そうすると、従来のような圧縮機からの高温吐出ガスを利用しなくとも、外気のみによる除霜で従来と同等の除霜時間を実現することができる。
【００６９】
（５−２）伝熱管径とフィンピッチＰｘの設定
室外熱交換器１７の伝熱管１８３には、外径がφ８．０ｍｍ（平均内径はほぼφ７．３ｍｍ〜７．８ｍｍ）の伝熱管が採用されている。
【００７０】
なお、冷媒としてＲ３２を使用する場合には、平均内径がφ６．０ｍｍ〜６．５ｍｍとなるように、呼び寸法がφ６．３５ｍｍの規格管を使用してもよい。Ｒ３２は、圧力損失が従来冷媒（Ｒ２２など）の約４０％まで減少することから、その低下相当分だけ伝熱管を細くすることができるからである。
【００７１】
出願人の実験によれば、所定条件で、暖房運転を開始してから、室外熱交換器１７において着霜により通風抵抗が運転開始時の５倍になるまでの時間を連続暖房運転時間とした場合、従来冷媒を使用しφ８．０ｍｍの伝熱管で且つフィンピッチＰｘ＝２．０ｍｍとしたときの連続暖房運転時間と、Ｒ３２を使用しφ６．３５ｍｍで且つフィンピッチＰｘ＝１．２ｍｍとしたときの連続暖房運転時間とはほとんど同じであることが確認されている。
【００７２】
それゆえ、スリットフィンを用いる場合、フィンピッチＰｘは１．２ｍｍ〜２．０ｍｍの範囲から適宜選定することが可能である。
【００７３】
しかし、上記実験結果に拘わらず本実施形態では、暖房運転時の室外熱交換器１７への着霜を防止するという観点から、フィンピッチＰｘは上限値である２．０ｍｍを採用している。
【００７４】
（５−３）段ピッチＰｙと列ピッチＰｚの設定
伝熱管１８３の段ピッチＰｙと列ピッチＰｚの値は、上記平板領域１７９の面積を決定する因子となるので、適切な範囲内で設定することにより、室外熱交換器１７の性能を最適化することができる。
【００７５】
出願人の実験によれば、段ピッチＰｙと列ピッチＰｚの積（面積）Ａが約２２０ｍｍ2〜４２０ｍｍ2の範囲にある場合、伝熱管１８３の外径をφ６．３５ｍｍとしてＲ３２冷媒を使用したときの能力は、伝熱管１８３の外径をφ８．０ｍｍとして従来冷媒を使用したときの１００％以上の能力を得ることができることが確認されている。
【００７６】
そこで、本実施形態では、暖房運転時の室外熱交換器１７への着霜を防止するという観点から、最大面積４２０ｍｍ2近傍に設定したうえで、冷媒はＲ３２を採用している。
【００７７】
（５−４）切り起し高さ
本実施形態では、切り起し部１７５の切り起し高さｈ（図６参照）は、０．１８ｍｍ〜０．６０ｍｍの範囲に設定されている。ここで、切り起しピッチＬＰ（図６参照）を０．６ｍｍ〜１．５ｍｍの範囲内に、且つ切り起し角度θ（図６参照）を１８°〜２４°の範囲内に設定すれば、上記切り起し高さｈを実現することができる。
【００７８】
従来、切り起し部の寸法としては、切り起しピッチが０．５ｍｍ〜０．９ｍｍの範囲内に、且つ切り起し角度が２５°〜４０°の範囲内に設定されたフィンが公知である（例えば、特開２０００−１５４９８９公報）。これは、切り起し高さ（フィン片面側への突出量）に換算すると０．１ｍｍ〜０．２９ｍｍに相当する。
【００７９】
しかし、本実施形態に係る空調機１では、暖房能力を冷房能力よりも小さく抑え、且つ霜付き抑制制御が実行されることによって着霜の発生が抑制されているので、高さ０．３ｍｍ以上の切り起し部１７５を含むスリットフィンを採用することができ、熱交換性能の向上を図ることができる。
【００８０】
（６）特徴
（６−１）
空調機１では、暖房能力を抑えた空調機であり、暖房運転時に室外熱交換器１７への着霜が抑制されるので、「高い伝熱性能を有し且つ安価ではあるが着霜時に目詰まりして性能低下し易い」という性質のスリットフィンタイプの熱交換器を使いこなすことが可能となる。具体的には、着霜による目詰まりを心配することなく、高さ０．３ｍｍ以上の切り起し部を有するスリットフィンを採用することができ、熱交換性能の向上を図ることができる。
【００８１】
（６−２）
空調機１では、冷媒の蒸発温度又は蒸発器出口温度から霜付きが発生しそうなタイミングを見計らって、圧縮機１３を垂下又は停止させることによって霜付きを抑制することができる。それゆえ、室外熱交換器１７として、伝熱性能に優れ比較的安価なスリットフィンタイプの熱交換器を採用することができる。
【００８２】
（６−３）
空調機１では、圧縮機１３の運転に外気温度による制限を課することによって、蒸発器として機能する室外熱交換器１７への着霜を抑制することができる。それゆえ、室外熱交換器１７として、伝熱性能に優れ比較的安価なスリットフィンタイプの熱交換器を採用することができる。
【符号の説明】
【００８３】
１      空調機
１１    室内熱交換器（熱源側熱交換器）
１３    圧縮機
１７    室外熱交換器（利用側熱交換器）
１９    膨張弁（膨張機構）
４８    外気温度センサ
５０    制御部
１７１  スリットフィン
１７５  切り起し部
１７７  スリット
【先行技術文献】
【特許文献】
【００８４】
【特許文献１】特開２００８−９６０８８号公報
【図１】
2016102637.tif 000003
【図２】
2016102637.tif 000004
【図３】
2016102637.tif 000005
【図４】
2016102637.tif 000006
【図５】
2016102637.tif 000007
【図６】
2016102637.tif 000008